(57)【要約】【課題】かみそりヘッドが軽量で左右揺動し易く、そのひげ切断面を肌面の凹凸に容易に追随させることができるうえ、左右揺動機構の配置を再検討することにより、揺動機構の信頼性を高める。【解決手段】外刃３６および内刃３７と、外刃３６を支持する外刃ホルダー３８と、外刃ホルダー３８が着脱される揺動フレーム３９とを含むかみそりヘッド８を、本体ケース１の上部に設けた中間部７で支持する。中間部７は、モーター１４と、モーター１４の回転動力を往復動力に変換して内刃３７に伝動する伝動系と、伝動系の振動子２３・２４を収容する振動子ケース１６とを含む。振動子ケース１６と揺動フレーム３９との間に、かみそりヘッド８を左右揺動可能に支持する左右揺動機構を配置する。【選択図】図１
2010148715.tif 000002
【特許請求の範囲】
【請求項１】
外刃（３６）および内刃（３７）と、外刃（３６）を支持する外刃ホルダー（３８）と、外刃ホルダー（３８）が着脱される揺動フレーム（３９）とを含むかみそりヘッド（８）が、本体ケース（１）の上部に設けた中間部（７）で支持してある電気かみそりであって、
中間部（７）は、モーター（１４）と、モーター（１４）の回転動力を往復動力に変換して内刃（３７）に伝動する伝動系と、少なくとも伝動系の振動子（２３・２４）を収容するケース体（１６）とを含み、
ケース体（１６）と揺動フレーム（３９）との間に、かみそりヘッド（８）を左右揺動可能に支持する左右揺動機構が配置してある電気かみそり。
【請求項２】
ケース体（１６）の外周面を囲む状態で、揺動フレーム（３９）がケース体（１６）に組み付けられており、
ケース体（１６）および揺動フレーム（３９）の前後の対向隙間に、左右揺動機構が配置してある請求項１記載の電気かみそり。
【請求項３】
左右揺動機構は、揺動軸（５８）と、揺動軸（５８）に対して相対揺動する軸受部（５９）と、かみそりヘッド（８）を中立位置へ向かって復帰付勢する復帰ばね（６０）とを含み、
ケース体（１６）および揺動フレーム（３９）の対向隙間に、復帰ばね（６０）用の取付座（６５・６６）が上下に対向する状態で設けてある請求項２記載の電気かみそり。
【請求項４】
ケース体（１６）と揺動フレーム（３９）とのいずれか一方に揺動軸（５８）が設けられ、他方に上下に長い軸受穴（６１）を備えた軸受部（５９）が設けられており、
かみそりヘッド（８）は、揺動軸（５８）を中心として左右揺動可能に、しかも上下動可能に支持されて、復帰ばね（６０）で上方の待機位置へ向かって移動付勢されており、
待機位置において、互いに係合してかみそりヘッド（８）の左右揺動を規制する第１係合部（７８）と第２係合部（７９）とが、ケース体（１６）と揺動フレーム（３９）との間に設けられており、
かみそりヘッド（８）が復帰ばね（６０）に抗して待機位置から所定量押し下げ操作された使用状態において、第１係合部（７８）と第２係合部（７９）との係合状態が解除されて、かみそりヘッド（８）を左右揺動できる請求項３記載の電気かみそり。
【請求項５】
揺動フレーム（３９）が、ケース体（１６）の上部外面を囲むフレーム本体（５４）と、フレーム本体（５４）の上部に装着されるカバー体（５５）とで構成されており、
ケース体（１６）の外面に設けた下取付座（６５）と、カバー体（５５）に設けた上取付座（６６）との間に、復帰ばね（６０）が配置されており、
フレーム本体（５４）の周囲壁（６７）で上取付座（６６）が外側から覆われる請求項３または４記載の電気かみそり。
【請求項６】
ケース体（１６）の前後面に揺動軸（５８）が一体に設けられており、
軸受部（５９）が、フレーム本体（５４）に設けた下軸受部（７０）と、カバー体（５５）に設けた上軸受部（７１）とを接合して構成してあり、
軸受穴（６１）が、下軸受部（７０）と上軸受部（７１）の接合面で、下凹み状の下側凹部（７２）と上凹み状の上側凹部（７３）とに分割してある請求項５記載の電気かみそり。
【請求項７】
第１係合部（７８）と下取付座（６５）とが一体に形成してあり、
第２係合部（７９）と軸受部（５９）とが一体に形成してある請求項４記載の電気かみそり。
【請求項８】
中間部（７）が、本体ケース（１）に対して上下動可能に支持されて、フロートばね（２９）で上方へ向かって移動付勢してある請求項１から７のいずれかに記載の電気かみそり。
【発明の詳細な説明】
【技術分野】
【０００１】
本発明は、かみそりヘッドが本体ケースに対して左右揺動可能に構成してある電気かみそりに関する。
【背景技術】
【０００２】
この種の電気かみそりは、例えば特許文献１に公知である。そこでは、かみそりヘッドが、外刃および内刃と、外刃を支持する外刃ホルダーと、内刃を駆動するモーターなどを備える。モーターを支持するモーターホルダーと本体ケースとの間には、左右一対のばねが配置してある。かみそりヘッドは両ばねで本体ケースに対して左右揺動可能に浮動支持される。かみそりヘッドが首振り可能であると、そのひげ切断面を肌に対して常に密着するように追随させて、効果的にひげ剃りを行なうことができる。
【０００３】
しかし特許文献１では、かみそりヘッドがモーターを含むためにその重量が大きく、したがって、小さい外力を受けただけでは左右揺動し難い。そのためユーザーは、かみそりヘッドを肌に強く押し当てながらひげ剃りを行なわないと、かみそりヘッドを揺動させて、ひげ切断面を肌面の凹凸に追随させることができない。
【０００４】
そこで、モーターをかみそりヘッドから分離した電気かみそりが、特許文献２に公知である。そこではモーターが本体ケースに固定してある。外刃ホルダーは、本体ケースの上端部に着脱される下側の第１刃枠と、外刃を支持する上側の第２刃枠とに分割してあり、両刃枠の間に左右揺動機構が設けてある。モーターと内刃の間には、モーターの回転動力を往復動力に変換する振動子と、振動子の往復動力を内刃に伝動する内刃取付け軸とが配設してあり、内刃取付け軸の先端に内刃が揺動可能に取り付けてある。
【０００５】
つまり特許文献２では、外刃を支持する第２刃枠と内刃のみが左右揺動する。これらを合わせた重量は、特許文献１のかみそりヘッドに比べて充分に小さい。そのため第２刃枠等は、小さい外力を受けただけで容易に左右揺動する。この電気かみそりでは、ひげを剃る際、ひげ切断面を軽く押し当てているだけで、第２刃枠等を軽快に揺動させて、ひげ切断面を肌面の凹凸に追随させることができる。
【０００６】
【特許文献１】特開２００２−３２５９８４号公報
【特許文献２】特開２００５−３０４７９３号公報
【発明の開示】
【発明が解決しようとする課題】
【０００７】
特許文献２の電気かみそりでは、外刃ホルダーに左右揺動機構が設けてあるので、該機構の周囲に毛屑が溜まり易く、外刃ホルダーの清掃が度々必要になる。しかも、揺動機構の内部に入り込んだ毛屑は容易に取り除けない。清掃を長期にわたって怠っていると、揺動機構に毛屑が詰まって、第２刃枠の揺動が阻害されやすい。また、外刃を第２刃枠から取り外す際に、第２刃枠が揺動するし、ふらつくので、外刃の交換作業に手間が掛かる。
【０００８】
さらに、特許文献２の電気かみそりにおいて、左右揺動機構は、第２刃枠と一体に形成されて、その左右側壁の内側に所定の隙間を置いて配設された壁板と、隙間に入り込む第１刃枠の左右側壁との間に設けてある。この構成によれば、電気かみそりを誤って落下させ、第２刃枠が衝撃を受けるような場合に、その衝撃が壁板に設けた左右揺動機構に及び、該機構が破損するおそれがある。
【０００９】
本発明の目的は、かみそりヘッドが軽量で左右揺動し易く、そのひげ切断面を肌面の凹凸に容易に追随させることができるうえ、左右揺動機構の配置を再検討することにより、揺動機構の信頼性を高めた電気かみそりを提供することにある。また本発明の目的は、電気かみそりが落下衝撃を受ける際の左右揺動機構の破損をよく防止できる電気かみそりを提供することにある。
【課題を解決するための手段】
【００１０】
本発明に係る電気かみそりは、図２に示すように、外刃３６および内刃３７と、外刃３６を支持する外刃ホルダー３８と、外刃ホルダー３８が着脱される揺動フレーム３９とを含むかみそりヘッド８を、本体ケース１の上部に設けた中間部７で支持する。中間部７は、モーター１４と、モーター１４の回転動力を往復動力に変換して内刃３７に伝動する伝動系と、少なくとも伝動系の振動子２３・２４を収容するケース体１６とを含む。図１に示すように、ケース体１６と揺動フレーム３９との間に、かみそりヘッド８を左右揺動可能に支持する左右揺動機構を配置する。
【００１１】
ケース体１６の外周面を囲む状態で、揺動フレーム３９をケース体１６に組み付ける。ケース体１６および揺動フレーム３９の前後の対向隙間に、左右揺動機構を配置する。
【００１２】
図１に示すように左右揺動機構は、揺動軸５８と、揺動軸５８に対して相対揺動する軸受部５９と、かみそりヘッド８を中立位置へ向かって復帰付勢する復帰ばね６０とを含む。図１０に示すように、ケース体１６および揺動フレーム３９の対向隙間に、復帰ばね６０用の取付座６５・６６を上下に対向する状態で設ける。
【００１３】
図１に示すように、ケース体１６と揺動フレーム３９とのいずれか一方に揺動軸５８を設け、他方に上下に長い軸受穴６１を備えた軸受部５９を設ける。かみそりヘッド８は、揺動軸５８を中心として左右揺動可能に、しかも上下動可能に支持されて、復帰ばね６０で上方の待機位置へ向かって移動付勢される。待機位置において、互いに係合してかみそりヘッド８の左右揺動を規制する第１係合部７８と第２係合部７９とを、ケース体１６と揺動フレーム３９との間に設ける。かみそりヘッド８が復帰ばね６０に抗して待機位置から所定量押し下げ操作された使用状態において、第１係合部７８と第２係合部７９との係合状態が解除されて、かみそりヘッド８を左右揺動できる。
【００１４】
図１１に示すように揺動フレーム３９を、ケース体１６の上部外面を囲むフレーム本体５４と、フレーム本体５４の上部に装着されるカバー体５５とで構成する。ケース体１６の外面に設けた下取付座６５と、カバー体５５に設けた上取付座６６との間に、復帰ばね６０を配置する。フレーム本体５４の周囲壁６７で、上取付座６６を外側から覆う。
【００１５】
図８に示すように、ケース体１６の前後面に揺動軸５８を一体に設ける。軸受部５９を、フレーム本体５４に設けた下軸受部７０と、カバー体５５に設けた上軸受部７１とを接合して構成する。軸受穴６１を、下軸受部７０と上軸受部７１の接合面で、下凹み状の下側凹部７２と上凹み状の上側凹部７３とに分割する。
【００１６】
図１に示すように、第１係合部７８と下取付座６５とを一体に形成し、第２係合部７９と軸受部５９とを一体に形成する。
【００１７】
図３および図４に示すように、中間部７を、本体ケース１に対して上下動可能に支持して、フロートばね２９で上方へ向かって移動付勢する。
【発明の効果】
【００１８】
本発明では、本体ケース１の上部に設けられる中間部７のケース体１６と、かみそりヘッド８の揺動フレーム３９との間に、かみそりヘッド８を左右揺動可能に支持する左右揺動機構を設けた。このかみそりヘッド８は、モーター１４などを含まず、外刃３６および内刃３７と、外刃ホルダー３８と、揺動フレーム３９などの軽量の部品で構成されるので重量が小さく、小さい外力を受けただけでも容易に揺動する。したがって、本発明の電気かみそりによれば、ひげ剃りの際にひげ切断面を軽く押し当てているだけで、かみそりヘッド８を軽快に揺動させて、ひげ切断面を肌面の凹凸に追随させることができる。
【００１９】
また本発明のように、ケース体１６と揺動フレーム３９との間に左右揺動機構を設けると、外刃ホルダーに同機構を設ける場合に比べて、揺動機構の周辺部に毛屑が溜まり難く、揺動機構の信頼性を向上できる。また、外刃ホルダーに揺動機構を設ける従来の電気かみそりに比べて、外刃ホルダー３８の構造を簡素化して、外刃ホルダー３８の清掃作業や外刃３６の交換作業を容易化できる。
【００２０】
ケース体１６の外周面を囲む状態で揺動フレーム３９を組み付け、両者１６・３９の対向隙間に左右揺動機構を配置すると、揺動フレーム３９で揺動機構を覆って保護することができるので、電気かみそりを誤って落下させた場合に揺動機構が破損するのをよく防止できる。この保護効果は、外刃ホルダー３８を取り外した状態でも有効である。また、揺動機構をケース体１６の外側に配置すると、ケース体１６に揺動フレーム３９を組み付ける際に、揺動機構を目視しながら各部品の位置合わせを的確に行なって、組み付け作業を容易に行なうことができる。さらに、ケース体１６の外側は、振動子２３・２４などが配置される内側に比べて部品点数が少ないので、組み付け作業を行ない易く、揺動機構を配置するのに好適である。
【００２１】
かみそりヘッド８を中立位置へ向かって復帰付勢する復帰ばね６０を、ケース体１６および揺動フレーム３９の対向隙間に配置すると、復帰ばね６０を揺動フレーム３９で覆って保護することができ、また、復帰ばね６０を目視しながらケース体１６に揺動フレーム３９を組み付けることができる。さらに本発明においては、かみそりヘッド８が軽量であることから、復帰ばね６０は従来よりも付勢力の小さいもので充分である。そのため、本発明における復帰ばね６０としては、小型で低コストのばねを適用することができる。
【００２２】
不使用状態において、ケース体１６および揺動フレーム３９に設けた第１および第２の係合部７８・７９を互いに係合させてかみそりヘッド８の左右揺動を規制すると、内刃３７を清掃するために外刃ホルダー３８を着脱する際に、かみそりヘッド８が揺れ動くのを規制して、外刃ホルダー３８の着脱を確実かつ迅速に行なえる。また、揺動フレーム３９が押し下げられたとき、すなわち、ひげを剃るべくかみそりヘッド８を肌に押し当てたときは、両係合部７８・７９の係合状態が解除されて、かみそりヘッド８が左右揺動できるので、ひげ切断面を肌の凹凸に追随させて、効果的にひげ剃りを行なうことができる。
【００２３】
揺動フレーム３９を、ケース体１６の上部外面を囲むフレーム本体５４と、その上部に装着されるカバー体５５とで構成し、ケース体１６の外面に設けた下取付座６５と、カバー体５５に設けた上取付座６６との間に、復帰ばね６０を配置する構成によれば、ケース体１６と揺動フレーム３９との間に復帰ばね６０を容易に組み付けて、組み付け作業の効率を向上できる。具体的には、組み付けを行なう作業者は、フレーム本体５４にカバー体５５を装着する過程で、上取付座６６を目視しながら、他に先行して下取付座６５に装着した復帰ばね６０の上端部に位置を合わせて、互いに装着することができる。この後、復帰ばね６０を圧縮しながら、カバー体５５をフレーム本体５４に装着して固定する。組み付けが完了した状態では、上取付座６６や復帰ばね６０を含む揺動機構を、フレーム本体５４の周囲壁６７で外側から覆って保護することができ、落下衝撃による破損や変形をよく防止できる。また、復帰ばね６０を周囲壁６７で外側から覆うと、復帰ばね６０の露呈による見苦しさを解消して、電気かみそりのデザイン性を向上できる。
【００２４】
軸受部５９が、フレーム本体５４に設けた下軸受部７０と、カバー体５５に設けた上軸受部７１とを接合して構成してあり、軸受穴６１が、上下の軸受部７０・７１の接合面で、下凹み状の下側凹部７２と上凹み状の上側凹部７３とに分割してあると、ケース体１６に揺動フレーム３９を組み付ける作業を容易化できる。具体的には、ケース体１６に設けられた揺動軸５８を、上側凹部７３と下側凹部７２とで上下から挟み込むように、カバー体５５をフレーム本体５４に装着するだけで、揺動フレーム３９をケース体１６に対して揺動可能に一体化することができる。
【００２５】
第１係合部７８と下取付座６５とを一体に形成すると、両者７８・６５が互いに補強し合うので、耐久性が向上する。同様に、第２係合部７９と軸受部５９とを一体に形成すると、両者７９・５９が互いに補強し合うので、耐久性が向上する。
【００２６】
中間部７を本体ケース１で上下動可能に支持し、さらにフロートばね２９で上方へ向かって移動付勢すると、かみそりヘッド８を左右揺動させながら、同時に上下に変位できるので、かみそりヘッド８のひげ切断面を、肌面の変化に追随して自在に変位させて、肌当たりをさらに良好なものにすることができる。
【発明を実施するための最良の形態】
【００２７】
本発明に係る電気かみそりの実施形態を、図１から図１２を用いて説明する。この電気かみそりは、図２および図３に示すように、上面に開口を有する筒状の本体ケース１と、本体ケース１に組み付けられる作動ユニットなどを備える。本体ケース１の前面にはスイッチパネル２が設けてあり、その中央にモーター起動用のスイッチノブ３が設けてある。本体ケース１の後面にはきわ剃り刃ユニット４が設けてある。
【００２８】
作動ユニットは、その下半側を占める電装品ユニットと、電装品ユニットの上部に設けられる中間部７と、中間部７の上部に設けられるかみそりヘッド８とで構成される。図４に示すように電装品ユニットは、内ケース９に回路基板や２次電池１０などを組み込んで構成してある。回路基板には、先のスイッチノブ３で切り換え操作されるスイッチや、制御回路を構成する電子部品などが実装してある。内ケース９の上部には、モーター１４の下部周囲を囲むモーター枠１１が一体に形成してある。モーター枠１１の上端には、後述するパッキン２８を装着するための、環状のシール枠１２が張り出し形成してある。
【００２９】
図４および図５に示すように中間部７は、モーター１４と、それを保持するモーターホルダー１５と、モーターホルダー１５の上側に固定される振動子ケース（ケース体）１６と、モーター１４の回転動力を往復動力に変換して内刃３７に伝動する伝動系などで構成される。モーターホルダー１５は、環状の上枠１７と、上枠１７の下面に突設されて、モーター１４の左右側面および底面を保持する逆門形の主枠１８と、主枠１８の左右外側面下部に突設された一対のガイド片１９とを一体に備えている。モーターホルダー１５は、その全体が本体ケース１の内側に収容してある。
【００３０】
図５および図６に示すように振動子ケース１６は、上面が開口する四角箱状に形成してあり、その上部が本体ケース１の上部開口より上方へ突出している。この突出部分は、後述するかみそりヘッド８の揺動フレーム３９で外側から囲まれる。振動子ケース１６の下面中央には、モーター１４の出力軸２１用の通口が形成してあり、振動子ケース１６の内部には、出力軸２１に固定されたカム機構２２や、前後一対の振動子２３・２４などが収容してある。振動子ケース１６の下面の左右２箇所にはねじボス２５が突設してある。ビス２６を上枠１７の下面側から各ねじボス２５にねじ込むことにより、モーターホルダー１５と振動子ケース１６とは一体化してある。
【００３１】
図３に示すように、モーター１４の出力軸２１の周囲からモーター枠１１のシール枠１２にかけて、電装品ユニット側に異物や洗浄水が入り込むのを防ぐためのパッキン２８が設けてある。パッキン２８の上縁は、モーターホルダー１５の上枠１７と振動子ケース１６とで上下に挟持固定してあり、パッキン２８の下縁は、シール枠１２と本体ケース１の内面壁とで内外に挟持固定してある。
【００３２】
図３および図４に示すように、モーターホルダー１５の下端とモーター枠１１の内底との間には、中間部７を上方へ向かって移動付勢するフロートばね２９が配置してある。またモーター枠１１には、モーターホルダー１５のガイド片１９に対応して、左右一対の上下に長いガイド溝３０が形成してある。常態において中間部７は、ガイド片１９がガイド溝３０の上端に接触した浮上状態になる。また中間部７は、かみそりヘッド８を介して下方向の押圧力を受けると、フロートばね２９の付勢力に抗して、ガイド溝３０に案内されながら沈下する。
【００３３】
図３に示すようにきわ剃り刃ユニット４は、固定刃３２および可動刃３３と、両刃３２・３３を支持するケース３４などで構成してあり、想像線で示す使用姿勢と実線で示す不使用姿勢との間で上下にスライド操作できる。ケース３４の内面には、可動刃３３を駆動させるための往復動力を受ける受動爪３５が突設してある。きわ剃り刃ユニット４は、主に長毛やくせ毛の切断に用いられる。
【００３４】
図５および図６に示すようにかみそりヘッド８は、外刃３６および内刃３７からなる前後一対のメイン刃と、外刃３６を支持する外刃ホルダー３８と、外刃ホルダー３８が着脱される揺動フレーム３９などで構成される。メイン刃は仕上げ用の刃であり、主に短毛の切断に用いられる。外刃３６は電鋳法で形成した網刃からなり、外刃フレーム４０で逆Ｕ字状に保形されてカセット化してある。外刃フレーム４０は、外刃ホルダー３８に対して上下動自在に組み付けてある。スリット刃構造の内刃３７は、逆Ｕ字状に折り曲げて形成してあり、内刃フレーム４１に固定されてカセット化してある。
【００３５】
モーター１４と内刃３７とを繋ぐ伝動系は、先述のカム機構２２および前後一対の振動子２３・２４と、各振動子２３・２４に一体に設けられる駆動軸４２・４３などで構成されて、各駆動軸４２・４３の上端部に内刃フレーム４１が分離可能に圧嵌装着してある。この装着状態において内刃フレーム４１は、図７に示すように、駆動軸４２・４３に対して左右揺動および上下動可能であり、駆動軸４２・４３の内部に配設されたばね４４により押し上げ付勢されている。したがって、外刃ホルダー３８を揺動フレーム３９に装着した状態では、内刃３７が外刃３６の内面に密着する。
【００３６】
後側の駆動軸４３には、きわ剃り刃ユニット４の可動刃３３に駆動力を与えるための駆動腕４５が設けてある。各振動子２３・２４は、駆動軸４２・４３が設けられる本体部と、本体部の左右に設けられる弾性腕とを備えており、各弾性腕の側端に設けられた取付座が、ビス４６により振動子ケース１６の上面に固定してある。図５および図６において符号４７は、駆動軸４２・４３用のパッキンである。
【００３７】
モーター１４の回転動力は、カム機構２２および振動子２３・２４により往復動作に変換されて、振動子２３・２４の往復動力が駆動軸４２・４３により内刃フレーム４１に伝えられる。前後の内刃３７は、外刃３６に内接しながら、互いに左右方向逆向きに往復駆動する。また、きわ剃り刃ユニット４を上方の使用姿勢へスライド操作すると、受動爪３５が駆動腕４５の後端の係合溝４５ａに係合する。これにて、駆動腕４５の往復動力が、きわ剃り刃ユニット４の可動刃３３に伝えられる。
【００３８】
図５および図６に示すように外刃ホルダー３８は、外刃フレーム４０を上下動自在に支持する上ケース４９と、上ケース４９を支持する下ケース５０とで構成する。下ケース５０は上下面が開口する枠体からなり、上ケース４９は下ケース５０の上側開口内部に着脱自在に装着してある。下ケース５０は、揺動フレーム３９の上側に着脱自在に装着してあり、揺動フレーム３９に組み付けた左右一対のロック具５１で装着状態にロック保持される。このロック具５１は、揺動フレーム３９で左右スライド自在に支持されて、ばね５２でロック姿勢に押圧付勢されている。ロック具５１をばね５２の付勢力に抗して押し込み操作すると、ロック状態が解除されて、外刃ホルダー３８を揺動フレーム３９から取り外すことができる。なお、外刃ホルダー３８を取り外した状態で、内刃３７および内刃フレーム４１は、図７に示すように、駆動軸４２・４３側、すなわち中間部７側に残される。
【００３９】
図８および図９に示すように揺動フレーム３９は、振動子ケース１６の上部外面を囲むフレーム本体５４と、フレーム本体５４の上部に装着されるカバー体５５とで構成してあり、全体として上下面が開口する枠体状に形成してある。カバー体５５の４隅をビス５６でフレーム本体５４に締結固定することにより、フレーム本体５４とカバー体５５とは一体化される。カバー体５５の中央に開設した通口の周縁に、駆動軸４２・４３用のパッキン４７が取り付けてある（図６参照）。
【００４０】
本実施形態では、振動子ケース１６および揺動フレーム３９の前後の対向隙間に、かみそりヘッド８を左右揺動可能に支持する左右揺動機構が配置してある。この揺動機構は、図１および図６に示すように、振動子ケース１６の前後面に一体に設けられた揺動軸５８と、揺動フレーム３９に設けられて、揺動軸５８に対して相対揺動する軸受部５９と、かみそりヘッド８を中立位置へ向かって復帰付勢する復帰ばね６０とを含んで構成してある。軸受部５９の中央には、揺動軸５８を受け入れる軸受穴６１が形成してある。軸受穴６１は上下に長い長円状に形成してあり、そのため揺動フレーム３９は、振動子ケース１６に対して左右揺動するほか、軸受穴６１の上下長の分だけ上下動できる。
【００４１】
図１および図１０に示すように復帰ばね６０は、捻りコイル型の圧縮ばねであって、振動子ケース１６の外面に設けた上向きの下取付座６５と、カバー体５５に設けた下向きの上取付座６６との間に配置される。下取付座６５は、前後の各揺動軸５８の左右両側に、振動子ケース１６と一体に設けてあり、上取付座６６は、カバー体５５の下面に、下取付座６５と上下に対向する位置に設けてある。各取付座６５・６６は、復帰ばね６０の端部に内嵌するボスを有する。
【００４２】
図１および図８に示すように、軸受部５９は、フレーム本体５４に設けた下軸受部７０と、カバー体５５に設けた上軸受部７１とを接合して構成してある。また軸受穴６１は、上下の軸受部７０・７１の接合面で、Ｕ字状の下側凹部７２と上凸円弧状の上側凹部７３とに分割してある。下側凹部７２を有する下軸受部７０は、フレーム本体５４の周囲壁６７の内面に突設してあり、上側凹部７３を有する上軸受部７１は、カバー体５５の周囲壁６８の内側下面に突設してある。下軸受部７０の左右両側には、左右端方向に下り傾斜する第１傾斜片７４が連続して設けてあり、各第１傾斜片７４の下端部には、左右端方向に僅かに上り傾斜する第２傾斜片７５が連続して設けてある。
【００４３】
揺動フレーム３９は復帰ばね６０で、図１２（ａ）に示す上方の待機位置へ移動付勢される。この待機位置では、振動子ケース１６に設けた第１係合部７８と、揺動フレーム３９に設けた第２係合部７９とが係合することにより、かみそりヘッド８の左右揺動が規制される。突起状の第２係合部７９は、前後の各下軸受部７０の左右両側に、これと一体に設けてある。第１係合部７８は、前後の各揺動軸５８の左右両側に、振動子ケース１６と一体に設けてあり、第２係合部７９が係入する凹部を有する。第１係合部７８は、下取付座６５よりも揺動軸５８に近接配置してあり、互いに隣接する第１係合部７８と下取付座６５とは、第１係合部７８の下端から下り傾斜する連結体８０により繋がれている。下取付座６５、連結体８０および第１係合部７８の三者は一体に形成してある。
【００４４】
待機位置にある揺動フレーム３９が復帰ばね６０に抗して押し下げられると、図１２（ｂ）に示す使用状態になる。この使用状態では、第１係合部７８と第２係合部７９との係合状態が解除されて、揺動フレーム３９が振動子ケース１６に対して左右に揺動できる（図１参照）。揺動フレーム３９、外刃ホルダー３８および外刃３６が揺動するとき、外刃３６に内接する内刃３７も同行揺動する。フレーム本体５４側の第２係合部７９、第１傾斜片７４および第２傾斜片７５のうち少なくとも１つが、振動子ケース１６側の第１係合部７８、連結体８０または下取付座６５に接触することにより、かみそりヘッド８の揺動限界が規定される。
【００４５】
ここでは、振動子ケース１６への揺動フレーム３９の組み付けについて説明する。両者１６・３９を揺動可能に一体化するには、図１１に示すように、フレーム本体５４の内側に振動子ケース１６を挿通させた状態で、揺動軸５８を上側凹部７３と下側凹部７２とで上下から挟み込むようにして、カバー体５５をフレーム本体５４の上面に装着して固定する。
【００４６】
フレーム本体５４およびカバー体５５を振動子ケース１６に組み付ける過程では、復帰ばね６０が同時に組み込まれる。すなわち、図１１に示すように、カバー体５５をフレーム本体５４に装着する前に、振動子ケース１６の下取付座６５に復帰ばね６０を装着しておき、カバー体５５を装着する過程で、上取付座６６を目視しながら、復帰ばね６０の上端部に位置を合わせて、互いに装着する。この後、復帰ばね６０を圧縮しながら、カバー体５５をフレーム本体５４に装着して固定する。
【００４７】
組み付けが完了した状態の左右揺動機構は、フレーム本体５４の周囲壁（この段落で、下周囲壁と記す。）６７と、カバー体５５の周囲壁（この段落で、上周囲壁と記す。）６８とで外側から覆われる。下周囲壁６７の上縁中央に、上周囲壁６８を受け入れる受入凹部８１が形成してある。上周囲壁６８の左右両側には凹部８２が形成してある。この凹部８２は、上取付座６６の近傍に位置しており、カバー体５５を組み付ける作業者が上取付座６６を目視するのに役立つ。つまり、凹部８２を形成することで、上取付座６６を復帰ばね６０に装着し易くして、組み付け作業の効率を向上できる。凹部８２と係合する凸部８３が、下周囲壁６７の受入凹部８１の左右両側に形成してあり、この凸部８３によって上取付座６６は外側から覆われる（図１０参照）。下周囲壁６７と上周囲壁６８とで左右揺動機構を覆うと、左右揺動機構を落下衝撃などから保護することができ、また、復帰ばね６０などの露呈による見苦しさを解消できる。
【００４８】
中間部７の構成を変更した本発明の別実施形態を、図１３を用いて説明する。この別実施形態は、中間部７を構成するケース体１６を本体ケース１と一体に設ける点が、先の実施形態と大きく相違する。本体ケース１およびケース体１６は、前後に二分割された前ケースと後ケースとを蓋合わせ状に接合して構成してある。
【００４９】
ケース体１６は、下側のモーター収容部１６ａと、上側の振動子収容部１６ｂとで構成してある。モーター１４は、モーター収容部１６ａの内面前後に設けた支持リブ（不図示）で支持してある。振動子２３は、その両側端の取付座が、振動子収容部１６ｂの内面左右に固定してある。ケース体１６の上面には、駆動軸４２が貫通する通口が開設してあり、この通口の周縁に、駆動軸４２用のパッキン４７が取り付けてある。復帰ばね６０を装着する下取付座６５は、ケース体１６の外面左右に１つずつ設けてある。下取付座６５と対向する上取付座６６は、揺動フレーム３９を構成するフレーム本体５４の下面に設けてある。
【００５０】
また、この別実施形態は、外刃ホルダー３８を揺動フレーム３９から取り外す際に、内刃フレーム４１が駆動軸４２から分離して外刃ホルダー３８に同行する点が、先の実施形態と相違する。ここでの内刃フレーム４１は、底壁８５を有する外刃フレーム４０の内側に組み込んで、外刃フレーム４０に対して左右スライド可能に支持してある。外刃フレーム４０の底壁８５に、駆動軸４２を通すための通口８６が開設してある。外刃ホルダー３８を揺動フレーム３９に装着すると、駆動軸４２の先端部が通口８６を貫通して、内刃フレーム４１に圧嵌係合する。なお内刃フレーム４１は、外刃ホルダー３８で支持することもできる。
【００５１】
以上のように、本発明の各実施形態では、本体ケース１の上部に設けられる中間部７のケース体（振動子ケース）１６と、かみそりヘッド８の揺動フレーム３９との間に、かみそりヘッド８を左右揺動可能に支持する左右揺動機構を設けた。このかみそりヘッド８は、モーター１４などを含まず、外刃３６および内刃３７と、外刃ホルダー３８と、揺動フレーム３９などの軽量の部品で構成されるので重量が小さく、小さい外力を受けただけでも容易に揺動する。したがって、本実施形態の電気かみそりによれば、ひげ剃りの際にひげ切断面を軽く押し当てているだけで、かみそりヘッド８を軽快に揺動させて、ひげ切断面を肌面の凹凸に追随させることができる。また、ケース体１６と揺動フレーム３９との間に左右揺動機構を設けると、外刃ホルダーに同機構を設ける場合に比べて、揺動機構の周辺部に毛屑が溜まり難く、揺動機構の信頼性を向上できる。
【００５２】
その他、上記各実施形態では、かみそりヘッド８がメイン刃のみを備えていたが、例えば前後一対のメイン刃の間にセンター刃を備えていてもよい。復帰ばね６０は引っ張ばねであってもよく、その場合は、取付座６５・６６の上下位置を逆転させて、ケース体１６側の取付座６５を、揺動フレーム３９側の取付座６６の上方に配置する。フレーム本体５４の周囲壁６７のみで左右揺動機構の全体を覆うことができる。第１・第２係合部７８・７９は凹凸係合する形態に限られず、摩擦係合など任意の形態を採用することができる。
【図面の簡単な説明】
【００５３】
【図１】かみそりヘッドの揺動変位を示す縦断正面図である。
【図２】電気かみそりの正面図である。
【図３】電気かみそりの上半部の部分縦断側面図である。
【図４】かみそりヘッドの浮動構造を示す部分縦断正面図である。
【図５】かみそりヘッドとその周辺部分の部分縦断正面図である。
【図６】かみそりヘッドとその周辺部分の縦断側面図である。
【図７】外刃ホルダーを分離して内刃の構成を示す正面図である。
【図８】中間部と、分解した揺動フレームとを示す正面図である。
【図９】中間部と、分解した揺動フレームとを示す平面図である。
【図１０】復帰ばねの配置を示す縦断側面図である。
【図１１】振動子ケースに揺動フレームを組み付ける様子を示す正面図である。
【図１２】揺動フレームが振動子ケースに対して上下動する様子を示す縦断正面図である。
【図１３】別実施形態に係る中間部およびかみそりヘッドの縦断正面図である。
【符号の説明】
【００５４】
１  本体ケース
７  中間部
８  かみそりヘッド
１４  モーター
１６  ケース体（振動子ケース）
２３  振動子
２４  振動子
３６  外刃
３７  内刃
３８  外刃ホルダー
３９  揺動フレーム
５４  フレーム本体
５５  カバー体
５８  揺動軸
５９  軸受部
６０  ばね
６１  軸受穴
６５  下取付座
６６  上取付座
６７  フレーム本体の周囲壁
７８  第１係合部
７９  第２係合部
【図１】
2010148715.tif 000003
【図２】
2010148715.tif 000004
【図３】
2010148715.tif 000005
【図４】
2010148715.tif 000006
【図５】
2010148715.tif 000007
【図６】
2010148715.tif 000008
【図７】
2010148715.tif 000009
【図８】
2010148715.tif 000010
【図９】
2010148715.tif 000011
【図１０】
2010148715.tif 000012
【図１１】
2010148715.tif 000013
【図１２】
2010148715.tif 000014
【図１３】
2010148715.tif 000015